(57)【要約】      （修正有）【課題】太陽光発電システム内でエラーが生じた際に、エラー内容を迅速にユーザに伝達する。【解決手段】パワーコンディショナ１１０には、太陽光発電システム１００内でエラーが生じた際にエラーコードが表示されるエラーコード表示部を有している。リビング等に設置される表示装置１３０には、エラーコードが示すエラー内容を記憶するエラー内容データベースが記憶されている。表示装置１３０では、入力部を介してエラーコードが入力された場合、エラー内容データベースを参照して入力されたエラーコードに対応するエラー内容を表示する。【選択図】図１
2013207000.tif 000002
【特許請求の範囲】
【請求項１】
太陽光のエネルギーを用いて発電をおこなう太陽電池モジュールと、
前記太陽電池モジュールで発電された電気を直流から交流に変換するパワーコンディショナと、
前記パワーコンディショナで交流に変換された前記電気を分電する分電盤と、
前記分電盤によって分電された前記電気の電圧値および電流値の少なくともいずれかを測定する測定器と、
前記測定器によって測定された値を表示する表示装置と、を備え、
前記パワーコンディショナは、エラーが生じた際にエラーに対応するエラーコードを表示するエラーコード表示部を有し、
前記表示装置は、処理部と、前記エラーコードが示すエラー内容を記憶するエラー内容記憶部と、前記エラーコード表示部に表示される前記エラーコードの入力をユーザの操作に基づいて受け付ける入力部と、を有し、前記入力部を介して前記エラーコードが入力された場合、前記処理部は、前記エラー内容記憶部を参照して前記入力された前記エラーコードに対応する前記エラー内容を表示することを特徴とする太陽光発電システム。
【請求項２】
前記エラーコード表示部は、７セグメントディスプレイであり、
前記表示装置は、少なくとも前記エラー内容を自然言語で表示可能な解像度を有することを特徴とする請求項１に記載の太陽光発電システム。
【請求項３】
前記エラー内容記憶部は、前記エラーコードに対応する前記エラーの現象説明文と当該エラーへの対処方法説明文とを記憶し、
前記表示装置は、前記エラー内容として、前記現象説明文と前記対処方法説明文とを表示することを特徴とする請求項１または２に記載の太陽光発電システム。
【請求項４】
太陽光発電システムのパワーコンディショナが備える７セグメントディスプレイに表示されるエラーコードをユーザに入力させる入力部と、
前記エラーコードが示すエラー内容が記憶されるエラー内容記憶部と、
前記エラー内容記憶部を参照して、前記入力部を介して入力される前記エラーコードに対応する前記エラー内容を表示部に表示する処理部と、
を備えることを特徴とする太陽光発電システム用の表示装置。
【発明の詳細な説明】
【技術分野】
【０００１】
本発明は、太陽光のエネルギーを用いて発電をおこなう太陽光発電システムおよびその表示装置に関する。
【背景技術】
【０００２】
太陽光発電システムは、太陽電池パネル（太陽電池モジュール）で発電した電力をパワーコンディショナ（ＰＣＳ）で商用交流に変換し、家庭内で消費したり、商用系統に逆潮流させたりするシステムである。このような太陽光発電システムでは、太陽電池モジュールにおける発電量や商用電力への売・買電量、家庭内における電力消費量などをユーザに知らせるための表示装置が設けられている場合がある（たとえば、下記非特許文献１参照）。
【先行技術文献】
【非特許文献】
【０００３】
【非特許文献１】パナソニック株式会社、“エネルギーモニタでエコ（環境貢献度・発電量・電気代）が見える”、［ｏｎｌｉｎｅ］、［平成２４年３月１２日検索］、インターネット（ＵＲＬ：ｈｔｔｐ：／／ｓｕｍａｉ．ｐａｎａｓｏｎｉｃ．ｊｐ／ｓｏｌａｒ／ｅｎｅｒｇｙｍｏｎｉｔｏｒ．ｈｔｍｌ）
【発明の概要】
【発明が解決しようとする課題】
【０００４】
一般的な太陽光発電システムでは、パワーコンディショナ本体に７セグメントディスプレイが設けられており、システム内にエラーが発生した場合には、パワーコンディショナの７セグメントディスプレイに数ケタのエラーコードを表示してエラーを報知している。しかしながら、一般的なユーザは、エラーコードを見ただけではエラーの内容を判別することができず、取扱説明書などを参照してエラーの内容を確認する必要があり、煩雑であるという問題点がある。
【０００５】
たとえば、パワーコンディショナ本体に液晶ディスプレイを設けて、エラーコードに代えて自然言語によるエラー内容の表示をおこなうことも可能であるが、コストが高くなってしまうという問題点がある。より詳細には、この場合には、パワーコンディショナ本体に液晶ディスプレイを設置するコスト、自然言語でエラー表示をおこなうためにパワーコンディショナ本体にＣＰＵやメモリなどを搭載するコストなどが必要となる。
【０００６】
また、エラー内容の文書を二次元コード化して記憶しておき、故障時にその２次元コードを表示するようにし、携帯電話のカメラでそれを読み取り、エラー内容を携帯電話に自然言語で表示することも考えられるが、やはり、二次元コードを表示する液晶ディスプレイなどをパワーコンディショナに設ける必要があるので、コスト高になる。
【０００７】
本発明は、前記した従来技術の問題点を鑑みてなされたものであり、システム内でエラーが生じた際に、エラー内容を迅速にユーザに伝達することができる太陽光発電システムおよびその表示装置を提供することを目的とする。
【課題を解決するための手段】
【０００８】
前記した課題を解決し、目的を達成するため、本発明にかかる太陽光発電システムは、太陽光のエネルギーを用いて発電をおこなう太陽電池モジュールと、前記太陽電池モジュールで発電された電気を直流から交流に変換するパワーコンディショナと、前記パワーコンディショナで交流に変換された前記電気を分電する分電盤と、前記分電盤によって分電された前記電気の電圧値および電流値の少なくともいずれかを測定する測定器と、前記測定器によって測定された値を表示する表示装置と、を備える。そして、前記パワーコンディショナは、前記太陽光発電システム内でエラーが生じた際にエラーコードが表示されるエラーコード表示部を有し、前記表示装置は、処理部と、前記エラーコードが示すエラー内容を記憶するエラー内容記憶部と、前記エラーコード表示部に表示される前記エラーコードの入力をユーザの操作に基づいて受け付ける入力部と、を有し、前記処理部は、前記入力部を介して前記エラーコードが入力された場合、前記エラー内容記憶部を参照して前記入力された前記エラーコードに対応する前記エラー内容を表示することを特徴とする。
その他の解決手段は、後記する発明の実施の形態にて詳細に説明する。
【発明の効果】
【０００９】
本発明にかかる太陽光発電システムおよびその表示装置によれば、システム内でエラーが生じた際に、エラー内容を迅速にユーザに伝達することができる。
【図面の簡単な説明】
【００１０】
【図１】実施の形態にかかる太陽光発電システムのシステム構成を示すブロック図である。
【図２】（ａ）は表示装置の外観の一例を示す説明図であり、（ｂ）はその内部構成の一例を示す説明図である。
【図３】エラー内容データベースのデータ構成の一例を示す説明図である。
【図４】太陽光発電システムにおけるエラー発生時の処理手順を示すフローチャートである。
【図５】表示装置におけるエラー対応画面の一例を示す説明図であり、（ａ）はエラーコード入力の前画面、（ｂ）はエラーコードの入力画面、（ｃ）はエラーコードに対応するエラー内容が表示された画面である。
【発明を実施するための形態】
【００１１】
以下に添付図面を参照して、本発明にかかる太陽光発電システムおよびその表示装置の好適な実施の形態を詳細に説明する。
【００１２】
（実施の形態）
図１は、実施の形態にかかる太陽光発電システム１００のシステム構成を示すブロック図である。太陽光発電システム１００は、太陽電池モジュール１０１、昇圧装置１０２、接続箱１０３、パワーコンディショナ１１０、分電盤１２０、表示装置１３０によって構成される。本実施の形態において、太陽光発電システム１００は、一般家庭用の住宅に設けられ、当該家庭内の電気機器で消費する電力を供給するものとする。
【００１３】
太陽電池モジュール１０１は、住宅の屋根などに設けられ、太陽光のエネルギーを用いて発電をおこなう。図示の例では、４つの太陽電池モジュール１０１が直列に接続された系統が２系統、３つの太陽電池モジュール１０１が直列に接続された系統が１系統設けられている。３つの太陽電池モジュール１０１からなる系統は、４つの太陽電池モジュール１０１からなる系統よりも発電電力の電圧が低いので、昇圧装置１０２によって昇圧をおこなって電圧を調整する。これら太陽電池モジュール１０１の直列接続からなる系統は、接続箱１０３において接続される。
【００１４】
パワーコンディショナ１１０は、太陽電池モジュール１０１で発電された電気を直流から交流に変換する。パワーコンディショナ１１０は、太陽光発電システム１００が設置された住宅の室内（たとえば風呂場の脱衣所など）に設置されており、インバータを用いて電気を直流から交流に変換する。また、パワーコンディショナ１１０は、太陽光発電システム１００内でエラーが生じた際にエラーコードが表示されるエラーコード表示部１１１を有している。ちなみに、本実施の形態において、電圧の過不足や通信異常などのエラーの発生の有無は、パワーコンディショナ１１０が判断（診断）するものとする。本実施の形態において、エラーコード表示部１１１は、７セグメントディスプレイであり、アラビア数字（０〜９）およびアルファベットの一部を表示可能であるものとする。本実施の形態においては、エラーコードを「Ｅ００１，Ｅ００２，・・」のような、７セグメントディスプレイで表示可能なアルファベット１文字と数字３ケタとの組み合わせ（計４ケタ）で表現する。
【００１５】
分電盤１２０は、パワーコンディショナ１１０で交流に変換された電気を分電する。より詳細には、分電盤１２０は、太陽電池モジュール１０１で発電された電気を、家庭内の電気機器で使用する分と、売電用に商用電力系統に送出する分とに分電する。また、分電盤１２０は、家庭内の電気機器で使用する電力が太陽電池モジュール１０１で発電された電気ではまかなえない場合に、商用電力系統から電力の供給を受け（買電）、家庭内の電気機器へと送出する。
【００１６】
分電盤１２０には、電圧センサ１２１および電流センサ１２２（測定器）が内蔵されている。電圧センサ１２１は、分電盤１２０によって分電された電気の電圧値をそれぞれ測定する。電流センサ１２２は、分電盤１２０によって分電された電気の電流値をそれぞれ測定する。なお、図１では分電盤１２０に電圧センサ１２１および電流センサ１２２が内蔵されているものとしたが、電圧センサ１２１および電流センサ１２２とは、分電盤１２０と別体として設けてもよい。
【００１７】
表示装置（太陽光表示システム用の表示装置）１３０は、電圧センサ１２１および電流センサ１２２（測定器）によって測定された値を表示する。本実施の形態では、表示装置１３０は、電圧センサ１２１および電流センサ１２２と無線で接続されており、その測定値を無線通信で受信する。
【００１８】
図２は、（ａ）が表示装置１３０の外観の一例を示し、（ｂ）がその内部構成の一例を示す説明図である。図２（ａ）に示すように、本実施の形態において、表示装置１３０は、液晶画面１３１を有する小型のモニタ装置であり、たとえば太陽光発電システム１００が設置された家屋のリビングなどに置かれている。液晶画面１３１は、少なくとも自然言語（日本語の場合には、少なくとも平仮名または片仮名）を表示可能な解像度を有する。
【００１９】
表示装置１３０には、たとえば太陽電池モジュール１０１における発電量、太陽電池モジュール１０１で発電された電力のうち家庭内で使用する使用電力量、太陽電池モジュール１０１で発電された電力のうち商用電力に売電する売電量などが表示される。また、表示装置１３０は、たとえば現在の電力使用量、日別・月別の電力使用量の推移、電気代の概算値などの情報を表示する。これらの情報は、電圧センサ１２１および電流センサ１２２によって測定された値に基づいて、表示装置１３０で表示画面を生成する。
【００２０】
表示装置１３０の液晶画面１３１はタッチパネル１３１ｇとなっており、ユーザの操作によって所望の情報を表示させることが可能である。このタッチパネル１３１ｇは、後述するように、ユーザからのエラーコードの入力を受け付ける入力部となる。なお、入力は音声でもよい。
【００２１】
このような表示装置１３０を設けることによって、太陽光発電システム１００の稼働状態をユーザが把握することができる。なお、表示装置１３０は、太陽光発電システム１００専用の端末でなくともよく、たとえば家庭内に設置されたテレビやポータブルテレビ、スマートホン、携帯電話などの情報端末機器であってもよい。
【００２２】
ここで、表示装置１３０は、パワーコンディショナ１１０のエラーコード表示部１１１に表示されるエラーコードが示すエラー内容を記憶するエラー内容データベース３００（図２参照）をフラッシュメモリなどの補助記憶装置１３０ｃに備えている。このエラー内容データベース３００を用いて、表示装置１３０は、タッチパネル１３１ｇ（入力部）を介してエラーコードがユーザなどにより入力された場合、入力されたエラーコードに対応するエラー内容を表示する。
【００２３】
図２（ｂ）に示すように、本実施の形態において、表示装置１３０は、ＣＰＵ１３０ａ、主記憶装置１３０ｂ、補助記憶装置１３０ｃ、無線通信回路１３０ｄ、入出力Ｉ／Ｆ１３０ｅ、ＬＣＤ１３０ｆ、タッチパネル１３０ｇなどを備える。なお、液晶画面１３１は、ＬＣＤ１３０ｆとタッチパネル１３０ｇを含んで構成される。
【００２４】
主記憶装置１３０ｂは、ＯＳ（Operating System）１３０ｂ１、制御プログラム１３０ｂ２に加えて、エラー内容データベース３００を備える。これらは、補助記憶装置１３０ｃに格納されており、電源のＯＮにより読みだされて主記憶装置１３０ｂに配備され、ＣＰＵ１３０ａにより実行や参照などされる。制御プログラム１３０ｂ２は、アプリケーションプログラムであり、太陽光発電システム１００の稼働状態（売電・買電などの状態）をユーザが容易に把握できるようにすると共に、ユーザがタッチパネル１３１ｇを介して手入力したエラーコードに対応するエラー内容を表示して、ユーザが容易にエラーコードの内容を把握できるようにする。エラー内容データベース３００の詳細については後記する。
【００２５】
無線通信回路１３０ｄは、分電盤１２０に内蔵されている電圧センサ１２１と電流センサ１２２の測定値を無線で受信する回路である。ＬＣＤ１３１ｆは、少なくともエラー内容を自然言語で表示可能な解像度を有する表示部である。
【００２６】
図３は、エラー内容データベース３００のデータ構成の一例を示す説明図である。図３のエラー内容データベース３００には、エラーコード３０１、異常内容（名称）３０２、現象説明文３０３、対処方法説明文３０４が記録されている。エラーコード３０１は、それぞれのエラーを識別するためのコードであり、本実施の形態では、前記のようにアルファベット１文字と数字３ケタとの組み合わせで表現している。異常内容名称３０２は、エラーコード３０１に対応するエラー内容を端的に示す名称である。現象説明文３０３は、エラーコード３０１に対応するエラーの現象をユーザに説明する文章である。対処方法説明文３０４は、エラーコード３０１に対応するエラーへの対処方法をユーザに説明する文章である。
【００２７】
なお、本実施の形態においては、１つの現象説明文３０３と対処方法説明文３０４との組に対して、複数のエラーコード３０１が対応づけられている場合がある。すなわち、複数のエラーコード３０１に対して、共通の現象説明文３０３と対処方法説明文３０４とが対応づけられている場合がある（「Ｆ４０１」と「Ｆ４０２」のエラーコード３０１を参照）。これは、システム内部側から見てエラー内容が異なる（図３の例では、異常内容名称が異なる）場合であっても、ユーザから見た現象および対処法は同じ場合があるためである。
【００２８】
表示装置１３０は、タッチパネル１３１ｇを介してエラーコードの入力を受け付けると、エラー内容データベース３００内のエラーコード３０１内を検索する。そして、入力されたエラーコード３０１と一致する行の現象説明文３０３と対処方法説明文３０４を液晶画面１３１に表示させる。なお、現象説明文３０３と対処方法説明文３０４とは、同時に表示してもよいし、順番に表示させてもよい。ちなみに、エラー内容は、異常内容３０２、現象説明文３０３、および、対処方法説明文３０４を含んで構成される。
【００２９】
このように、表示装置１３０において、タッチパネル１３１ｇを介してエラーコード３０１が入力された場合、入力されたエラーコード３０１に対応するエラー内容を表示することによって、ユーザが迅速にエラー内容を知ることができる。また、表示装置１３０には、エラーに対する対処方法も表示されるので、エラーへの対応を迅速におこなうことができる。
【００３０】
図４は、太陽光発電システム１００におけるエラー発生時の処理手順を示すフローチャートである。図４のフローチャートにおいて、太陽光発電システム１００は、システム内にエラーが発生したか否かを判断する（ステップＳ４０１）。前記のとおり、エラーは、パワーコンディショナ１１０が検知するものとする。エラーが発生しない間は待機をおこない（ステップＳ４０１：Ｎｏのループ）、システム内にエラーが発生すると（ステップＳ４０１：Ｙｅｓ）、太陽光発電システム１００は、パワーコンディショナ１１０のエラーコード表示部１１１にエラーコード３０１を表示する（ステップＳ４０２）。
ユーザは、エラーコード表示部１１１にエラーコード３０１が表示されたのに気付いて、エラーコード３０１の意味（内容）を調べようとする。前記のようにエラーコード３０１は、「Ｅ００１，Ｅ００２，・・」のような表示であるので、ユーザは、そのままではエラー内容が解からない。従来ならば、エラーコード３０１の内容を知りたい場合は、ユーザは、取扱説明書を取り出して該当ページを探していたが、本実施形態では、表示装置１３０にエラーコード３０１を入力して、エラー内容を問い合わせる。
【００３１】
つぎに、太陽光発電システム１００は、表示装置１３０にエラーコード３０１が入力されたか否かを判断する（ステップＳ４０３）。エラーコード３０１が入力されない場合は（ステップＳ４０３：Ｎｏ）、ステップＳ４０５に移行する。一方、表示装置１３０にエラーコード３０１が入力されると（ステップＳ４０３：Ｙｅｓ）、表示装置１３０にエラー内容（現象説明文３０３および対処方法説明文３０４）を表示する（ステップＳ４０４）。ユーザは、表示装置１３０のエラー内容の表示を見て、エラーへの対処（放置・自分で対処・販売店への連絡など）をおこなう。
【００３２】
発生したエラーが解決するまでは（ステップＳ４０５：Ｎｏ）、太陽光発電システム１００は、ステップＳ４０２に戻り、以降の処理をくり返す。そして、発生したエラーが解決すると（ステップＳ４０５：Ｙｅｓ）、太陽光発電システム１００は、パワーコンディショナ１１０のエラーコード表示を解除して（ステップＳ４０６）、本フローチャートによる処理を終了する。ちなみに、表示の解除はサービスマンが行うこともある。
【００３３】
図５は、表示装置１３０におけるエラー対応画面の一例を示す説明図である。図５（ａ）は、表示装置１３０の表示画面上に表示されたエラー対応画面５１０の一例である。ユーザは、太陽光発電システム１００にエラーが発生したことを知ると、表示装置１３０の通常表示画面から所定の呼び出し操作をおこなって、エラー対応画面５１０を表示させる。なお、エラー対応画面５１０は、たとえば分電盤１２０などからエラー発生を示す信号を受信することによって自動的に表示されるようにしてもよい。
【００３４】
エラー対応画面５１０には、エラーコード入力ボタン５１１およびエラーコード一覧ボタン５１２が表示されている。エラーコード入力ボタン５１１を押下すると、後記するエラーコード入力画面が表示される。また、エラーコード一覧ボタン５１２を押下すると、太陽光発電システム１００における各エラーコード３０１、および各エラーコード３０１に対応するエラー内容（現象説明文３０３および対処方法説明文３０４）が表示される。
【００３５】
図５（ｂ）は、エラーコード入力画面５２０の一例である。エラーコード入力画面５２０は、図５（ａ）に示すエラーコード入力ボタン５１１を押下すると表示される。エラーコード入力画面５２０には、エラーコード入力ボックス５２１、コード入力用ボタン５２２、ＯＫボタン５２３が表示されている。ユーザは、目視によりパワーコンディショナ１１０のエラーコード表示部１１１に表示されたエラーコード３０１を確認し、コード入力用ボタン５２２を用いて、エラーコード入力ボックス５２１にエラーコード３０１を入力する。エラーコード３０１の入力が完了すると、ユーザはＯＫボタン５２３を押下する。
【００３６】
図５（ｃ）は、エラー内容表示画面５３０の一例である。エラー内容表示画面５３０には、図５（ｂ）に示すエラーコード入力画面５２０で入力されたエラーコード３０１（ここでは「Ｅ００１」）に対応する現象説明文３０３および対処方法説明文３０４が表示される。前記のように、現象説明文３０３と対処方法説明文３０４とは、同時に表示してもよいし、順番に表示させてもよい。図示の例では、エラーコード３０１に対応する現象説明文３０３のみが表示されており、表示切替ボタン５３１を押下することによって、対処方法説明文３０４を表示させることができる。なお、現象説明文３０３と対処方法説明文３０４との表示切替は、自動でおこなってもよい。
【００３７】
以上説明したように、実施の形態にかかる太陽光発電システム１００によれば、リビング等に設置される表示装置１３０に、エラーコード３０１が示すエラー内容を記憶するエラー内容データベース３００を記憶させ、入力部を介してエラーコード３０１が入力された場合には、入力されたエラーコード３０１に対応するエラー内容を表示させるので、エラー内容を迅速にユーザに伝達することができる。ユーザは、エラーコード３０１の内容を調べるために取扱説明書などを参照する必要がなく、太陽光発電システム１００の利便性を向上させることができる。
【００３８】
また、実施の形態にかかる太陽光発電システム１００によれば、エラー内容の表示として、現象説明文３０３と対処方法説明文３０４とを表示するので、ユーザは、おこなうべき対応を即座に知る（確認する）ことができ、エラーからの復旧を迅速におこなうことができる。
【００３９】
また、実施の形態にかかる太陽光発電システム１００によれば、パワーコンディショナ１１０のエラーコード表示部１１１は、７セグメントディスプレイであり、表示装置１３０は、少なくともエラー内容を自然言語で表示可能な解像度を有していればよい。このため、既存の一般的なシステム構成を利用して、太陽光発電システム１００の利便性を向上させることができる。なお、エラーコード表示部１１１を、７セグメントディスプレイとする方が、液晶ディスプレイとするよりも、低コストである。
【００４０】
ちなみに、前記のように表示装置１３０は専用のものでなくとも、ユーザが所有している携帯電話やパソコンなどでもよい。例えば、事業者側のサーバに、携帯電話やパソコンに表示する画面とエラー内容データベース３００とを備えておき、携帯電話やパソコンなどからサーバにアクセスがあった時に、図５（ａ）や図５（ｂ）の画面を携帯電話やパソコンなどの表示装置に表示させ、ユーザにエラーコード３０１を入力させ、入力させたエラーコード３０１に対応するエラー内容を図５（ｃ）のように表示させるようにしてもよい。また、携帯電話やパソコンなどを表示装置１３０として機能させるアプリケーションをサーバに格納しておき、携帯電話やパソコンなどにダウンロードして、表示装置１３０として使えるようにしておいてもよい。
【符号の説明】
【００４１】
１００    太陽光発電システム
１０１    太陽電池モジュール
１０２    昇圧装置
１０３    接続箱
１１０    パワーコンディショナ
１１１    エラーコード表示部（７セグメントディスプレイ）
１２０    分電盤
１２１    電圧センサ（測定器）
１２２    電流センサ（測定器）
１３０    表示装置
１３０ａ  ＣＰＵ（処理部）
１３１ｆ  ＬＣＤ（表示部）
１３０ｇ  タッチパネル（入力部）
１３１    液晶画面（表示部）
３００    エラー内容データベース（エラー内容記憶部）
３０１    エラーコード
３０２    異常内容（エラー内容）
３０３    現象説明文（エラー内容）
３０４    対処方法説明文（エラー内容）
【図１】
2013207000.tif 000003
【図２】
2013207000.tif 000004
【図３】
2013207000.tif 000005
【図４】
2013207000.tif 000006
【図５】
2013207000.tif 000007